(57)【要約】【課題】  鉢やプランター等の栽培容器を用いて手軽に植物栽培ができ、しかもその栽培終了後においては、栽培容器ごと一般可燃ゴミとして廃棄したり、栽培容器ごと土壌中に捨てて再利用することができるようにする。【解決手段】  栽培容器２と、該栽培容器２に入れられた用土３と、該用土３の上側に敷設されたマルチング材４と、前記用土３の下側に敷設された鉢底材５とからなり、前記栽培容器２、前記用土３、前記マルチング材４および前記鉢底材５がいずれも有機質資材で構成されている。【選択図】  図１
2005117989.tif 000002
【特許請求の範囲】
【請求項１】
栽培容器と、該栽培容器に入れられた用土とからなり、前記栽培容器および前記用土がいずれも有機質資材で構成されていることを特徴とする、植物栽培具。
【請求項２】
栽培容器と、該栽培容器に入れられた用土と、該用土の上側に敷設されたマルチング材とからなり、前記栽培容器、前記用土および前記マルチング材がいずれも有機質資材で構成されていることを特徴とする、植物栽培具。
【請求項３】
栽培容器と、該栽培容器に入れられた用土と、該用土の下側に敷設された鉢底材とからなり、前記栽培容器、前記用土および前記鉢底材がいずれも有機質資材で構成されていることを特徴とする、植物栽培具。
【請求項４】
栽培容器と、該栽培容器に入れられた用土と、該用土の上側に敷設されたマルチング材と、前記用土の下側に敷設された鉢底材とからなり、前記栽培容器、前記用土、前記マルチング材および前記鉢底材がいずれも有機質資材で構成されていることを特徴とする、植物栽培具。
【請求項５】
用土となる有機質資材が、樹木を剪定した際に生ずる枝葉を粉砕して堆肥化した剪定枝葉粉砕堆肥化物を主材とする、請求項１〜請求項４のうちのいずれか一項記載の植物栽培具。
【請求項６】
用土となる有機質資材が、樹木を剪定した際に生ずる枝葉を粉砕して堆肥化した剪定枝葉粉砕堆肥化物と、樹木を剪定した際に生ずる枝葉を破砕して葉と枝に分別し、その葉を堆肥化した剪定枝葉破砕堆肥化物との混合物を主材とする、請求項１〜請求項４のうちのいずれか一項記載の植物栽培具。
【請求項７】
用土となる有機質資材に、動物糞、食品廃棄物および生ゴミのうちの少なくとも一以上と、廃棄植物とを原料とする堆肥が所定割合だけ混入されている、請求項５または請求項６記載の植物栽培具。
【請求項８】
マルチング材が、樹木を剪定した際に生ずる枝葉を破砕して葉と枝に分別し、その葉を堆肥化した剪定枝葉破砕堆肥化物を主材とする請求項２および請求項４〜請求項７のうちのいずれか一項記載の植物栽培具。
【請求項９】
鉢底材が、樹木を剪定した際に生ずる枝葉を粉砕して所定目幅のスクリーンを通過しなかった粗い形状のもの、または樹木を剪定した際に生ずる枝葉を破砕して葉と枝に分別して得られた枝分、或いはこれらを炭化したものである、請求項３〜請求項７のうちのいずれか一項記載の植物栽培具。
【請求項１０】
栽培容器が、樹皮繊維、木質繊維、木材、木紛、穀物、古紙のうちの少なくとも一以上よりなる有機質資材を成型・加工したものである、請求項１〜請求項９のうちのいずれか一項記載の植物栽培具。
【発明の詳細な説明】
【技術分野】
【０００１】
本発明は、野菜、花卉、果実、観葉植物等を一般家庭で手軽に栽培することができ、また前記栽培後においては、栽培容器ごと一般可燃ゴミ等として廃棄することが可能な植物栽培具に関する。
【背景技術】
【０００２】
近年、精神的なゆとり、癒し、自然志向等を背景に、一般家庭の庭やベランダ、室内等においてガーデニングが盛んに行われている。そして、ガーデニングで栽培される植物も野菜、花卉、果実、観葉植物等、多岐に及んでいる。
【０００３】
植物栽培においては培養土が重要であり、特に、鉢やプランター等を用いた植物栽培では、花壇等の地植えと比べて、根が成長できる容積が制限されるため、植物を健全に生長させるのに、培養土の調整が重要となる。
【０００４】
一般に前記植物栽培に用いられる培養土としては、赤玉土、鹿沼土、黒土等の無機質な基本用土に、腐葉土やバーク等の改良土、或いは更にバーミキュライトやパーライト等の調整用土を混ぜ合わせたものが知られている。
【非特許文献１】技術監修  杉井明美「ガーデナーズ・バイブル２」草土出版  平成８年
【発明の開示】
【発明が解決しようとする課題】
【０００５】
しかしながら、前述したように、赤玉土、鹿沼土、黒土等の無機質な基本用土を主材とした培養土を鉢やプランター等に入れて栽培を行った場合、その栽培終了後において、マンションや団地等の集合住宅では、土をゴミとして廃棄することができないため、その処分に困るという不都合がある。そのため、マンション等のベランダや窓際に不要となった土入りの鉢やプランターが放置され、限られたベランダ等のスペースが有効に利用できないという問題が生じている。また、このような問題を解消するために、一度使った土（古土）を再利用することも考えられるが、長期間栽培に使われた土には活力がないため、ベランダ等で一旦、天日干しを行ったり、前作の根やゴミを除去したりしなければならず、その作業が非常に煩雑である。
【０００６】
また、赤玉土、鹿沼土、黒土等の無機質な基本用土を主材とする鉢植えは、重いため、ガーデニングをよく行う婦人や老人にとっては、鉢植えの持ち運びやハンギングにかなりの体力を要するという不都合もある。
【０００７】
更にまた、近年のガーデニングブームによって、初心者が鉢やプランター等の栽培容器を用いて植物栽培を始めることが多くなっているが、栽培容器内において、前記赤玉土、鹿沼土等の無機質な基本用土を主材とする培養土では微生物の増殖が不十分となり易いために、植物が十分に育たなかったり、病害によって植物が枯れてしまうこともあった。
【０００８】
本発明の目的は、鉢やプランター等の栽培容器を用いて手軽に植物栽培ができ、しかもその栽培終了後においては、栽培容器ごと一般可燃ゴミとして廃棄したり、栽培容器ごと土壌中に捨てて再利用することができる有機質資材製の植物栽培具を提供することにある。
【課題を解決するための手段】
【０００９】
請求項１記載の植物栽培具は、栽培容器と、該栽培容器に入れられた用土とからなり、前記栽培容器および前記用土がいずれも有機質資材で構成されていることを特徴とするものである。
【００１０】
植物栽培具は、野菜、花卉、果実、観葉植物等の定植に用いられる他、播種や育苗にも使用することができる。そして、植物栽培具における用土として使用される有機質資材は、栽培しようとする植物の種類や特性に応じて適宜決定される。また、その際、用土の通気性、通水性、保水性等の物理的性質や、窒素、リン、カリウム等の肥料的性質等が基準となるのは勿論である。
【００１１】
なお、本発明の植物栽培具における用土は、保水性、肥効性、保肥性等を備え、比較的細かい形状の有機質資材が好ましく、その具体例を以下に述べる。
【００１２】
この植物栽培具を播種に使用する場合、用土としては、例えば街路樹や公園等の樹木を剪定した際に生ずる枝葉をタブグラインダーで粉砕し、所定目幅（例えば約３ｃｍ）のスクリーンを通過した小サイズのチップを堆肥化したもの（以下「剪定枝葉粉砕堆肥化物」という）等が挙げられる。なお、前記堆肥化は、例えば前記小サイズのチップを堆積して適当に切返しを行う等により実行される。
【００１３】
また、この植物栽培具を育苗に使用する場合、用土としては、例えば街路樹や公園等の樹木を剪定した際に生ずる枝葉をチッピングロータリープレスで破砕し、遠心分離により得られた葉を堆肥化したもの（以下「剪定枝葉破砕堆肥化物」という）を前記剪定枝葉粉砕物に約１０％混入したもの、或いは前記剪定枝葉粉砕堆肥化物にもみ殻、やし殻、ピートモスまたは炭資材等を約１０〜２０％程度混入したもの等が挙げられる。なお、前記堆肥化は、例えば前記遠心分離により得られた葉を堆積して適当に切返しを行う等により実行される。
【００１４】
更にまた、この植物栽培具を定植に使用する場合、用土としては、例えば前記剪定枝葉粉砕堆肥化物に前記剪定枝葉破砕堆肥化物を約２０〜４０％混入したもの、または剪定枝葉、刈草、稲ワラ等の資材に動物糞、食品廃棄物、生ゴミ等の養分濃度の高い資材を混ぜて堆肥化した栄養堆肥を前記剪定枝葉粉砕堆肥化物に約５〜２０％混入したもの、或いは剪定枝葉をタブグラインダーで粉砕し、スクリーンを通さずに、そのまま堆肥化したもの等が挙げられる。
【００１５】
また、この植物栽培具において使用される前述した用土は、後述する本発明の他の植物栽培具においても適宜用いられる。
【００１６】
更に、本発明に係る植物栽培具においては、用土として、前述した剪定枝葉を原料としたもの以外に、有機質資材として一般に市販されているもの、例えば落葉を腐食させた腐葉土等も用いられる。
【００１７】
請求項２記載の植物栽培具は、栽培容器と、該栽培容器に入れられた用土と、該用土の上側に敷設されたマルチング材とからなり、前記栽培容器、前記用土および前記マルチング材がいずれも有機質資材で構成されていることを特徴とするものである。
【００１８】
前記マルチング材は、形状が前記用土より若干粗くて固まり難い有機質資材を用いるのが好ましく、また肥効性があった方が更に良く、例えば水苔、もみ殻、ピートモス、落葉を原料とした比較的形状の粗い腐葉土、やし殻活性炭、バーク、稲ワラ等の他、前記剪定枝葉破砕堆肥化物が挙げられる。
【００１９】
請求項３記載の植物栽培具は、栽培容器と、該栽培容器に入れられた用土と、該用土の下側に敷設された鉢底材とからなり、前記栽培容器、前記用土および前記鉢底材がいずれも有機質資材で構成されていることを特徴とするものである。
【００２０】
前記鉢底材は、栽培容器内の通気性、排水性を高めるために、栽培容器の底部に敷設するものであり、形状の粗い有機質資材が好ましく、肥効性は必要ない。具体的な鉢底材としては、例えば街路樹や公園等の樹木を剪定した際に生ずる枝葉をチッピングロータリープレスで破砕し、遠心分離により得られた枝、または剪定枝葉をタブグラインダーで粉砕し、スクリーンに通した際に、該スクリーンを通過しなかった粗い形状のもの若しくはこれを炭化させたもの、または一般に市販されているバークややし殻活性炭等が挙げられる。
【００２１】
請求項４記載の植物栽培具は、栽培容器と、該栽培容器に入れられた用土と、該用土の上側に敷設されたマルチング材と、前記用土の下側に敷設された鉢底材とからなり、前記栽培容器、前記用土、前記マルチング材および前記鉢底材がいずれも有機質資材で構成されていることを特徴とするものである。
【００２２】
請求項５記載の本発明は、前記請求項１〜請求項４のうちのいずれか一項記載の植物栽培具について、用土となる有機質資材が、前述した剪定枝葉粉砕堆肥化物を主材とすることを特徴とするものである。
【００２３】
請求項６記載の本発明は、請求項１〜請求項４のうちのいずれか一項記載の植物栽培具について、用土となる有機質資材が、前述した剪定枝葉粉砕堆肥化物と剪定枝葉破砕堆肥化物とを所定割合で混合したものを主材とすることを特徴とする。剪定枝葉粉砕堆肥化物と剪定枝葉破砕堆肥化物との混合割合は、前述した通り、剪定枝葉粉砕堆肥化物に対して剪定枝葉破砕堆肥化物を大体２０〜４０％混ぜるのが好ましい。
【００２４】
請求項７記載の本発明は、前記請求項５または請求項６記載の植物栽培具について、用土となる有機質資材に、動物糞、食品廃棄物および生ゴミのうちの少なくとも一以上と廃棄植物とを原料とする堆肥が所定割合だけ混入されているものである。
【００２５】
前記動物糞とは、鶏糞、豚糞および牛糞等であり、また前記廃棄植物とは、剪定枝葉、刈草、稲ワラ等である。
【００２６】
請求項８記載の本発明は、前記請求項２および請求項４〜請求項７のうちのいずれか一項記載の植物栽培具について、マルチング材が、前記剪定枝葉破砕堆肥化物を主材とすることを特徴とする。
【００２７】
請求項９記載の本発明は、請求項３〜請求項８のうちのいずれか一項記載の植物栽培具について、鉢底材が、樹木を剪定した際に生ずる枝葉を粉砕して所定目幅のスクリーンを通過しなかった粗い形状のもの、または樹木を剪定した際に生ずる枝葉を破砕して葉と枝に分別して得られた枝、或いはこれらを炭化したものである。
【００２８】
請求項１０記載の本発明は、前記請求項１〜請求項９のうちのいずれか一項記載の植物栽培具について、栽培容器が、樹皮繊維、木質繊維、木材、木粉、穀物、古紙のうちの少なくとも一以上よりなる有機質資材を成型・加工したものである。
【００２９】
なお、本発明の栽培容器に用いる有機質資材としては、生分解性プラスチック等も含まれる。
【００３０】
本発明における栽培容器とは、植物栽培において用いられるあらゆる形状の容器が含まれる。具体的には、鉢、プランター、トレー等、栽培する植物に応じて、その形状、深さ、容量等が適宜決定される。
【発明の効果】
【００３１】
本発明の植物栽培具は、栽培容器、用土、或いは更にマルチング材や鉢底材がすべて有機質資材で構成されているため、植物栽培後においては、前記用土等が入った栽培容器ごと一般可燃ゴミとして廃棄することができる。そのため、マンションや団地等の集合住宅においても、植物栽培後の栽培容器や用土等の処分に困ることがなく、ベランダや窓際に不要となった土入りの鉢やプランターが放置されることがなく、限られたベランダ等のスペースを有効に利用することができる。また、本発明の植物栽培具は、すべて有機質資材からなるため、植物栽培後において、そのまま庭の花壇や畑等に捨てて、土壌に混和させることにより、該土壌における微生物作用が促進されて、土壌の活性を高めることができるという利点もある。
【００３２】
また、本発明の植物栽培具は、用土が有機質資材のみで構成されているため、微生物の増殖が促進され、且つ適度の肥料効果が得られるため、植物栽培の初心者でも灌水するだけで容易に植物栽培が楽しめ、病害の発生も有効に防止され得る。しかも栽培容器も含めてすべて有機質資材からなる本発明の植物栽培具は、重量的にも従来の鉢植え等と比べて軽量であるため、婦人や老人でも栽培具の持ち運びやハンギングを容易に行うことができる。
【００３３】
更に、用土、マルチング材および鉢底材として、樹木を剪定した際に生ずる枝葉を原料として用いた本発明に係る植物栽培具によれば、道路や公園等の樹木の剪定によって大量に発生する廃棄枝葉の有効利用が図られると共に、剪定した緑葉には栄養分が十分に含まれているため、植物の良好な栽培が行える。
【発明を実施するための最良の形態】
【００３４】
次に、本発明の実施形態について図面に基づき説明する。
【００３５】
（実施形態１）
【００３６】
図１に示すように、本実施形態の植物栽培具１は、定植用のものであって、栽培容器２と、該栽培容器２に入れられた用土３と、該用土３の上側に敷設されたマルチング材４と、前記用土３の下側に敷設された鉢底材５とからなり、前記栽培容器２、前記用土３、前記マルチング材４および前記鉢底材５がいずれも後述する有機質資材で構成されている。
【００３７】
すなわち、栽培容器２は、木質繊維を原料として中深鉢の形状に成型・加工したものであり、底部２ａには排水穴６が形成されている。
【００３８】
用土３は、街路樹や公園等の樹木を剪定した際に生ずる枝葉をタブグラインダーで粉砕し、目幅約３ｃｍのスクリーンを通過した小サイズのチップを堆肥化してなる剪定枝葉粉砕堆肥化物に、剪定枝葉をチッピングロータリープレスで破砕し、遠心分離により得られた葉を堆肥化した剪定枝葉破砕堆肥化物を約１０％混入させたものである。
【００３９】
また、マルチング材４は、ピートモスである。鉢底材５は、剪定枝葉をチッピングロータリープレスで破砕し、遠心分離により得られた枝である。
【００４０】
（実施形態２）
【００４１】
図２に示すように、本実施形態の植物栽培具２１は、播種用のものであって、栽培容器２２と、該栽培容器２２に入れられた用土２３とからなり、前記栽培容器２２および前記用土２３がいずれも後述する有機質資材で構成されている。
【００４２】
すなわち、栽培容器２２は、古紙を用いてトレー形状に成型・加工したものであり、底部２２ａに排水穴２４が形成されている。また、用土２３は、前記剪定枝葉粉砕堆肥化物のみで構成されている。
【００４３】
この他、本実施形態の植物栽培具２１を育苗に用いる場合には、用土として剪定枝葉粉砕堆肥化物に剪定枝葉破砕堆肥化を１０％混入したものを用いる。
【００４４】
（実施形態３）
【００４５】
図３に示すように、本実施形態の植物栽培具３１は、栽培容器３２と、該栽培容器３２に入れられた用土３３と、該用土３３の上側に敷設されたマルチング材３４とからなり、前記栽培容器３２、前記用土３３および前記マルチング材３４がいずれも有機質資材で構成されている。用土３３は、刈草、稲ワラ等の資材に動物糞を混ぜて堆肥化した栄養堆肥を前記剪定枝葉粉砕堆肥化物に約５％混入したものである。そして、該用土３３は比較的細かい形状であるため、風による飛散や散水の際の水はねを特に防止するために、用土３３の上側にマルチング材３４として、やし殻活性炭を敷設したものである。
【００４６】
また、栽培容器３２は、樹皮繊維を浅鉢の形状に成型・加工したものである。
【００４７】
（実施形態４）
【００４８】
図４に示すように、本実施形態の植物栽培具４１は、栽培容器４２と、該栽培容器４２に入れられた用土４３と、該用土４３の下側に敷設された鉢底材４４とからなり、前記栽培容器４２、前記用土４３および前記鉢底材４４がいずれも後述する有機質資材で構成されている。
【００４９】
本実施形態の植物栽培具４１は、特に、栽培容器４２が深鉢形状であって、該栽培容器４２内における植物が根腐れし易い場合に、栽培容器４２内の通気性と排水性を促進するものである。
【００５０】
前記栽培容器４２は、木材を原料として深鉢の形状に成型・加工したものである。そして、用土４３は、剪定枝葉粉砕堆肥化物に、剪定枝葉破砕堆肥化物を約２０％混入させたものである。また、鉢底材４４はバークである。
【産業上の利用可能性】
【００５１】
本発明に係る植物栽培具は、特にマンションや団地等の集合住宅において、植物栽培後の土や鉢等の処分に困る場合に有効であるが、この他、都会のオフィースビル、店舗等、近隣に土や鉢を廃棄できる適当な場所がない地域における植物栽培にも利用できる。
【図面の簡単な説明】
【００５２】
【図１】実施形態１に係る植物栽培具の断面図である。
【図２】実施形態２に係る植物栽培具の断面図である。
【図３】実施形態３に係る植物栽培具の断面図である。
【図４】実施形態４に係る植物栽培具の断面図である。
【符号の説明】
【００５３】
１・２１・３１・４１  植物栽培具
２・２２・３２・４２  栽培容器
３．２３・３３・４３  用土
４・３４  マルチング材
５・４４  鉢底材
【図１】
2005117989.tif 000003
【図２】
2005117989.tif 000004
【図３】
2005117989.tif 000005
【図４】
2005117989.tif 000006